(57)【特許請求の範囲】
【請求項１】
出入口を開閉する引き戸と、
上記出入口の間口方向縁部に対向して立設された柱状体と、
この柱状体の上記出入口との対向部に配置されて上記引き戸面に沿う方向の光線を介して動作して上記出入口に存在する物体を検出する検出手段と、
横断面コ字状をなしコ字の開口部が上記柱状体の出入口対向部に対向して配置されて上記検出手段を囲み、上記出入口における出入口有効幅の縁部を形成して上記柱状体に着脱可能に装着された外郭板と
を備え、
上記外郭板を、上記出入口の下縁部の隅部に枢着され、下端を中心として上記出入口の下縁部側に回転するものとしたエレベーターの出入口装置。
【請求項２】
検出手段を、柱状体に装着したものとしたことを特徴とする請求項１記載のエレベーターの出入口装置。
【請求項３】
検出手段を、外郭板内面に装着したものとしたことを特徴とする請求項１記載のエレベーターの出入口装置。
【発明の詳細な説明】
【０００１】
【発明の属する技術分野】
この発明は、出入口を開閉する引き戸面近くに存在する物体を検出する検出手段が設けられたエレベーターの出入口装置に関する。
【０００２】
【従来の技術】
図１２は、例えば特開平１０−１３９３３３号公報に示された従来のエレベーターの出入口装置を示す横断平面図である。図において、１はエレベーターの出入口、２は一直線経路を互いに反対方向に動作して出入口１を開閉する引き戸、３は出入口１における出入口有効幅の縁部を形成した柱状体である。
【０００３】
４は出入口１の引き戸２面近くに存在する物体を検出する検出手段で、一方の柱状体３の内部に設けられて引き戸２面に沿う方向の光線５を発する発光器６、他方の柱状体３の内部に設けられた受光器からなり光線５を受光して、その受光量の変化によって動作する検出器７によって構成されている。
【０００４】
従来のエレベーターの出入口装置は上記のように構成され、検出器７が所定量の光線５を受光することにより検出手段４は通常状態となり、引き戸２面近くにエレベーターの乗客の手等の物体が存在した場合には、光線５が遮られて検出器７の受光量が変化することにより検出手段４が作動する。
【０００５】
この検出手段４の作動によって、引き戸２の戸開動作が抑制されたり、図示が省略してあるが音声報知等の報知装置によって引き戸２面近くの手を引く旨の報知が行われたりする。これによって、戸開する引き戸２と柱状体３の間の隙間に乗客の手等の物体が引き込まれる不具合を防ぐようになっている。
【０００６】
【発明が解決しようとする課題】
上記のような従来のエレベーターの出入口装置では、発光器６等の検出手段４の機器が柱状体３の内部に設けられるので、発光器６等の機器の保守作業、光線５の光軸の調整に煩雑な手数が掛かるという問題点があった。また、引き戸２と柱状体３の間の隙間が広くなって、引き戸２の戸開時に物体が引き込まれ易くなる不具合がある。
【０００７】
この発明は、かかる問題点を解消するためになされたものであり、出入口縁部に設けられた検出手段の保守作業が容易にできるエレベーターの出入口装置を得ることを目的とする。
【０００８】
【課題を解決するための手段】
この発明に係るエレベーターの出入口装置においては、出入口を開閉する引き戸と、出入口の間口方向縁部に対向して立設された柱状体と、この柱状体の出入口との対向部に配置されて引き戸面に沿う方向の光線を介して動作して出入口に存在する物体を検出する検出手段と、横断面コ字状をなしコ字の開口部が柱状体の出入口対向部に対向して配置されて検出手段を囲み、出入口における出入口有効幅の縁部を形成して柱状体に着脱可能に装着された外郭板とを備え、外郭板は、出入口の下縁部の隅部に枢着され、下端を中心として出入口の下縁部側に回転する。
【０００９】
また、この発明に係るエレベーターの出入口装置においては、検出手段が柱状体に装着される。
【００１０】
また、この発明に係るエレベーターの出入口装置においては、検出手段が外郭板内面に装着される。
【００１３】
【発明の実施の形態】
実施の形態１．
図１及び図２は、この発明の実施の形態の一例を示す図で、図１はエレベーターかご内における出入口側の透視図、図２は図１のＡ−Ａ線断面拡大図である。図において、１は出入口、２は一直線経路を互いに反対方向に動作して出入口１を開閉する引き戸、８は出入口１の間口方向縁部に対向して立設された柱状体、９は柱状体８から出入口１の間口方向に突設された取付板、１０は取付板９に装着された検出手段で、前述の検出手段４と同様に構成されている。
【００１４】
１１は外郭板で、横断面コ字状をなしコ字の開口部が柱状体８の出入口対向部に嵌合されて重合され、検出手段１０を囲んで配置されて出入口１における出入口有効幅の縁部を形成する。１２は締結具で、外郭板１１及び柱状体８の重合部において、外郭板１２に挿通されて柱状体８の裏面に設けられたナットにねじ込まれたボルトによって構成されて、柱状体８に外郭板１１を着脱可能に装着する。１３は外郭板１１に設けられて検出手段１０の光線位置に対応して配置された貫通孔である。
【００１５】
上記のように構成されたエレベーターの出入口装置において、検出手段１０の光線位置が引き戸２面近くのエレベーターの乗客の手等の物体によって遮られない場合は検出手段１０が通常状態となる。また、引き戸２面近くにエレベーターの乗客の手等の物体が存在したときには、検出手段１０の光線の受光量が変化して検出手段１０が作動する。
【００１６】
そして、検出手段１０の作動によって引き戸２の戸開動作が抑制されたり、図示が省略してあるが音声報知等の報知装置によって引き戸２面近くの手を引く旨の報知が行われたりする。このようにして、戸開する引き戸２と柱状体８の間の隙間に乗客の手等の物体が引き込まれる不具合の発生が未然に防止される。
【００１７】
そして、検出手段１０の機器の保守、調整作業時には締結具１２によって柱状体８から外郭板１１が取り外される。これによって、検出手段１０の機器が露出状態となるので、検出手段１０の機器の保守作業、光線の光軸の調整作業を容易に行うことができる。したがって、検出手段１０の維持費を節減することができる。
【００１８】
また、外郭板１１と引き戸２面の隙間を狭く設定することができ、引き戸２の戸開時に物体が引き込まれ難くなり、物体が引き込まれる不具合を少なくすることができる。さらに、出入口１からカート、台車が出入する場合に外郭板１１に接触することがあって外郭板１１が変形する場合がある。このようなときにも、外郭板１１の変形による影響が検出手段１０の機器に及び難く、検出手段１０の正常機能を容易に保持することができる。
【００１９】
実施の形態２．
図３は、この発明の他の実施の形態の一例を示す図で、前述の図２相当図である。図において、前述の図１及び図２と同符号は相当部分を示し、１４は取付板で、一側が外郭板１１の内面に固定されて他側は柱状体８方向に突出して検出手段１０が装着されている。
【００２０】
上記のように構成されたエレベーターの出入口装置においても、柱状体８に締結具１２によって外郭板１１が着脱可能に締結され、また柱状体８と外郭板１１の間に検出手段１０が配置される。したがって、詳細な説明を省略するが図３の実施の形態においても図１及び図２の実施の形態に準じた作用が得られる。
【００２１】
実施の形態３．
図４も、この発明の他の実施の形態の一例を示す図で、前述の図２相当図である。図において、前述の図１及び図２と同符号は相当部分を示し、１５は取付板で、外郭板１１の内面に設けられて柱状体８方向に突出して配置され、突出箇所に検出手段１０が装着されている。
【００２２】
上記のように構成されたエレベーターの出入口装置においても、柱状体８に締結具１２によって外郭板１１が着脱可能に締結され、また柱状体８と外郭板１１の間に検出手段１０が配置される。したがって、詳細な説明を省略するが図４の実施の形態においても図１及び図２の実施の形態に準じた作用が得られる。
【００２３】
実施の形態４．
図５及び図６も、この発明の他の実施の形態の一例を示す図で、図５は前述の図２相当図、図６は図５において引き戸が戸開し外郭板を開いた状態を示す図である。図において、前述の図１及び図２、図４と同符号は相当部分を示し、１６は外郭板で、横断面コ字状をなしコ字の開口部の一側が柱状体８の反引き戸２側の縁部にヒンジ１７によって枢着され、コ字の開口部の他側は柱状体８の引き戸２側の縁部に重合されて締結具１２によって着脱可能に装着されている。
【００２４】
上記のように構成されたエレベーターの出入口装置においても、柱状体８に締結具１２及びヒンジ１７によって外郭板１６が開放可能に締結され、また柱状体８と外郭板１６の間に検出手段１０が配置される。したがって、詳細な説明を省略するが図５及び図６の実施の形態においても図１及び図２の実施の形態に準じた作用が得られる。なお、図５及び図６の実施の形態において前述の図３における取付板１４が外郭板１１に設けられて、取付板１４に検出手段１０装着された構成であっても、図５及び図６の構成における作動を得ることができる。
【００２５】
実施の形態５．
図７及び図８も、この発明の他の実施の形態の一例を示す図で、図７は前述の図２相当図、図８は図７において引き戸が戸開し外郭板を開いた状態を示す図である。図において、前述の図１及び図２、図４と同符号は相当部分を示し、１８は外郭板で、横断面コ字状をなしコ字の開口部の一側が柱状体８の反引き戸２側の縁部にヒンジ１７によって枢着され、コ字の開口部の他側は柱状体８の引き戸２側の縁部から出入口１の中間方向に突設された突設部１９に重合されて締結具１２によって着脱可能に装着されている。
【００２６】
上記のように構成されたエレベーターの出入口装置においても、柱状体８に締結具１２及びヒンジ１７によって外郭板１８が開放可能に締結され、また柱状体８と外郭板１８の間に検出手段１０が配置される。したがって、詳細な説明を省略するが図７及び図８の実施の形態においても図１及び図２の実施の形態に準じた作用が得られる。
【００２７】
なお、図７及び図８の実施の形態において、外郭板１８のコ字における引き戸２側の一側の幅寸法が、図５及び図６の実施の形態における構成の場合よりも短くなる。このため、ヒンジ１７による外郭板１８の回動半径が小さくなって検出手段１０の機器の保守作業性を向上することができる。
【００２８】
実施の形態６．
図９〜図１１も、この発明の他の実施の形態の一例を示す図で、図９は前述の図１相当図、図１０は図９のＢ部を示し外郭板を開いた状態を示す図、図１１は図１０のＣ部拡大図である。なお、図９〜図１１の他は前述の図１及び図２の実施の形態と同様にエレベーターの出入口装置が構成されている。図において、前述の図１及び図２と同符号は相当部分を示す。
【００２９】
２０は外郭板で、横断面コ字状をなしコ字の開口部が柱状体８の出入口対向部に嵌合されて重合され、検出手段１０を囲んで配置されて出入口１における出入口有効幅の縁部を形成する。また、外郭板２０は下端が出入口１の下縁部の隅部に、ヒンジ２１によって枢着されて通常時は締結具１２によって柱状体８に着脱可能に締結されている。
【００３０】
上記のように構成されたエレベーターの出入口装置においても、柱状体８に締結具１２及びヒンジ２１によって外郭板２０が開放可能に締結され、また柱状体８と外郭板２０の間に検出手段１０が配置される。したがって、詳細な説明を省略するが図９〜図１１の実施の形態においても図１及び図２の実施の形態に準じた作用が得られる。
【００３１】
【発明の効果】
この発明は以上説明したように、出入口を開閉する引き戸と、出入口の間口方向縁部に対向して立設された柱状体と、この柱状体の出入口との対向部に配置されて引き戸面に沿う方向の光線を介して動作して出入口に存在する物体を検出する検出手段と、横断面コ字状をなしコ字の開口部が柱状体の出入口対向部に対向して配置されて検出手段を囲み、出入口における出入口有効幅の縁部を形成して柱状体に着脱可能に装着された外郭板とを備え、外郭板は、出入口の下縁部の隅部に枢着され、下端を中心として出入口の下縁部側に回転するものである。
【００３２】
このような構成によって、検出手段の機器の保守、調整作業時には柱状体から外郭板が開放位置に配置される。これにより、検出手段の機器が露出状態となって検出手段の機器の保守作業、光線の光軸の調整作業等を容易に行うことができる。したがって、検出手段の維持費を節減することができ、また外郭板と引き戸面の隙間を狭く設定することができて、引き戸の戸開時に物体が引き込まれ難くなり、物体が引き込まれる不具合を少なくする効果がある。
【００３３】
また、この発明は以上説明したように、検出手段を柱状体に装着したものである。
【００３４】
このような構成によって、検出手段の機器の保守、調整作業時には柱状体から外郭板が開放位置に配置される。これにより、検出手段の機器が露出状態となって検出手段の機器の保守作業、光線の光軸の調整作業等を容易に行うことができる。したがって、検出手段の維持費を節減することができ、また外郭板と引き戸面の隙間を狭く設定することができて、引き戸の戸開時に物体が引き込まれ難くなり、物体が引き込まれる不具合を少なくする効果がある。また、柱状体に検出手段が装着されるので出入するカート等が、外郭板に接触して変形した場合に外郭板の変形による影響が検出手段の機器に及び難く、検出手段の正常機能保持を容易化する効果がある。
【００３５】
また、この発明は以上説明したように、検出手段を外郭板内面に装着したものである。
【００３６】
このような構成によって、検出手段の機器の保守、調整作業時には柱状体から外郭板が開放位置に配置される。これにより、検出手段の機器が露出状態となって検出手段の機器の保守作業、光線の光軸の調整作業等を容易に行うことができる。したがって、検出手段の維持費を節減することができ、また外郭板と引き戸面の隙間を狭く設定することができて、引き戸の戸開時に物体が引き込まれ難くなり、物体が引き込まれる不具合を少なくする効果がある。また、検出手段が外郭板内面に装着されるので、外郭板を取り外した状態で検出手段の機器を容易に着脱でき保守作業費、取付作業費を低減する効果がある。
【図面の簡単な説明】
【図１】  この発明の実施の形態１を示す図で、エレベーターかご内における出入口側の透視図。
【図２】  図１のＡ−Ａ線断面拡大図。
【図３】  この発明の実施の形態２を示す図で、前述の図２相当図。
【図４】  この発明の実施の形態３を示す図で、前述の図２相当図。
【図５】  この発明の実施の形態４を示す図で、前述の図２相当図。
【図６】  図５において引き戸が戸開し外郭板を開いた状態を示す図。
【図７】  この発明の実施の形態５を示す図で、前述の図２相当図。
【図８】  図７において引き戸が戸開し外郭板を開いた状態を示す図。
【図９】  この発明の実施の形態６を示す図で、前述の図１相当図。
【図１０】  図９のＢ部を示し外郭板を開いた状態を示す図。
【図１１】  図１０のＣ部拡大図。
【図１２】  従来のエレベーターの出入口装置を示す横断平面図。
【符号の説明】
１  出入口、    ２  引き戸、    ８  柱状体、    １０  検出手段、    １１  外郭板、    １２  締結具、    １６  外郭板、    １８  外郭板。
【図１】
0004698865.tif 000002
【図２】
0004698865.tif 000003
【図３】
0004698865.tif 000004
【図４】
0004698865.tif 000005
【図５】
0004698865.tif 000006
【図６】
0004698865.tif 000007
【図７】
0004698865.tif 000008
【図８】
0004698865.tif 000009
【図９】
0004698865.tif 000010
【図１０】
0004698865.tif 000011
【図１１】
0004698865.tif 000012
【図１２】
0004698865.tif 000013